(57)【要約】【課題】電源装置に給電する複数系統の外部電源のうち、ある系統の外部電源から電力が供給されないことによる不具合を防止することができる技術を提供する。【解決手段】電源装置２０は、四つの外部電源と四つの電気回路との間をそれぞれ接続する接続電路２５−１，２５−２，２５−３，２５−４と、四つの外部電源のうち三つの外部電源の電力で動作する三つのリレーＲｙ１，Ｒｙ２，Ｒｙ３とを備え、少なくとも一つの外部電源から電力が供給される場合、三つのリレーＲｙ１，Ｒｙ２，Ｒｙ３によって、四つの電気回路のうち予め設定された一つの電気回路に対して、他の電気回路よりも優先的に電力が供給される。【選択図】図３
2011217577.tif 000002
【特許請求の範囲】
【請求項１】
第１〜第ｎ（ｎは２以上の自然数）の電気回路に電力を供給する電源装置であって、
外部電源から電力を受給する第１〜第ｎの電力受給部と、
前記第１〜第ｎの電気回路と前記第１〜第ｎの電力受給部との間をそれぞれ接続する第１〜第ｎの接続電路と、
前記第１〜第ｎの接続電路に設けられた複数の接点を含み、前記第１〜第ｎの電力受給部のうち（ｎ−１）個の電力受給部によって供給される電力でそれぞれ動作することによって前記複数の接点の少なくとも一つを切り替える（ｎ−１）個のリレーと
を備え、
前記第１〜第ｎの電力受給部の少なくとも一つの電力受給部から電力が供給される場合、前記（ｎ−１）個のリレーによって、前記第１〜第ｎの電気回路のうち予め設定された一つの電気回路である特定回路に対して、前記特定回路とは異なる他の電気回路よりも優先的に電力が供給される、電源装置。
【請求項２】
前記第１〜第ｎの電力受給部の少なくとも一つの電力受給部から電力が供給される場合、前記（ｎ−１）個のリレーによって、前記第１〜第ｎの電気回路の各々に対して、前記特定回路に続いて予め設定された順序で優先的に電力が供給される、請求項１に記載の電源装置。
【請求項３】
請求項１または請求項２に記載の電源装置であって、
前記特定回路は、前記第１の電気回路であり、
前記（ｎ−１）個のリレーは、前記第１〜第（ｎ−１）の電力受給部によって供給される電力でそれぞれ動作することによって前記複数の接点の少なくとも一つを切り替える前記第１〜第（ｎ−１）のリレーを含み、
前記第１〜第（ｎ−１）のリレーのうち、第ｍ（ｍは１〜（ｎ−１）の自然数）のリレーは、
第ｍの接続電路を介して第ｍの電力受給部に接続された電磁コイルと、
前記第ｍの接続電路において前記電磁コイルよりも第ｍの電気回路側に設けられたメイン接点と、
第ｓ（ｍ＜ｓ＜ｎを満たす自然数）の接続電路にそれぞれ設けられた（ｎ−ｍ−１）個のサブ接点と、
前記第ｎの接続電路に設けられた絶縁接点と
を含み、
前記メイン接点は、前記電磁コイルの通電時に前記第ｍの接続電路を導通し、前記電磁コイルの非通電時に、前記メイン接点における前記第ｍの電気回路側を、前記第（ｍ＋１）の接続電路に設けられた前記絶縁接点における前記第（ｍ＋１）の電力受給部側に接続し、
前記（ｎ−ｍ−１）個のサブ接点は、前記電磁コイルの通電時に前記第ｓの接続電路を導通し、前記電磁コイルの非通電時に、前記サブ接点における前記第ｓの電気回路側を、前記第（ｓ＋１）の接続電路に設けられた前記サブ接点または前記絶縁接点における前記第（ｓ＋１）の電力受給部側に接続し、
前記絶縁接点は、前記電磁コイルの通電時に前記第ｎの接続電路を導通し、前記電磁コイルの非通電時に前記第ｎの接続電路を切断する、電源装置。
【請求項４】
請求項１に記載の電源装置であって、
前記特定回路は、前記第１の電気回路であり、
前記（ｎ−１）個のリレーは、前記第１〜第（ｎ−１）の電力受給部によって供給される電力でそれぞれ動作することによって前記複数の接点の少なくとも一つを切り替える前記第１〜第（ｎ−１）のリレーを含み、
前記第１〜第（ｎ−１）のリレーのうち、第ｍ（ｍは１〜（ｎ−１）の自然数）のリレーは、
第ｍの接続電路を介して第ｍの電力受給部に接続された電磁コイルと、
前記第ｍの接続電路において前記電磁コイルよりも第ｍの電気回路側に設けられたメイン接点と、
前記第（ｍ＋１）の接続電路に設けられた絶縁接点と
を含み、
前記メイン接点は、前記電磁コイルの通電時に前記第ｍの接続電路を導通し、前記電磁コイルの非通電時に、前記メイン接点における前記第ｍの電気回路側を、前記サブ接点における前記第（ｍ＋１）の電力受給部側に接続し、
前記絶縁接点は、前記電磁コイルの通電時に前記第（ｍ＋１）の接続電路を導通し、前記電磁コイルの非通電時に前記第（ｍ＋１）の接続電路を切断する、電源装置。
【請求項５】
前記特定回路は、前記他の電気回路の少なくとも一つに対する電力供給の有無を監視する監視部を含む、請求項１ないし請求項４のいずれか一項に記載の電源装置。
【請求項６】
表示面に画像を表示する画像表示装置であって、
請求項１ないし請求項５のいずれか一項に記載の電源装置と、
発光する第１光源と、
前記第１光源に送風する第１冷却ファンと、
前記第１光源からの光を変調させる第１変調光学系と、
前記第１変調光学系の位置を調整する第１光学調整部と、
発光する第２光源と、
前記第２光源に送風する第２冷却ファンと、
前記第２光源からの光を変調させる第２変調光学系と、
前記第２変調光学系の位置を調整する第２光学調整部と、
前記第１変調光学系で変調された光と前記第２変調光学系で変調された光とを合成して射出する合成部と、
前記合成部から射出された光を前記表示面に投射する投射部と、
映像データに基づいて、前記第１変調光学系および前記第２変調光学系における光の変調を制御する映像処理部と、
前記画像表示装置における動作処理を制御するシステム制御部と、
前記画像表示装置における電源のオンオフを管理する電源制御部と
を備え、
前記特定回路は、前記電源制御部、前記第１冷却ファン、前記第２冷却ファンを構成する回路を含む、画像表示装置。
【請求項７】
請求項６に記載の画像表示装置であって、
前記第１〜第ｎの電力受給部は、２系統の第１および第２の電力受給部であり、
前記第１〜第ｎの電気回路は、第１および第２の電気回路であり、
前記特定回路である前記第１の電気回路は、前記電源制御部、前記第１冷却ファン、前記第２冷却ファンに加え、前記システム制御部、前記映像処理部を構成する回路を含み、
前記他の電気回路である前記第２の電気回路は、前記第１光源、前記第１光学調整部、前記第２光源、前記第２光学調整部を構成する回路を含む、画像表示装置。
【請求項８】
請求項６に記載の画像表示装置であって、
前記第１〜第ｎの電力受給部は、４系統の第１〜第４の電力受給部であり、
前記第１〜第ｎの電気回路は、第１〜第４の電気回路であって、前記第１〜第４の電気回路の順序で優先的に電力が供給され、
前記特定回路である前記第１の電気回路は、前記電源制御部、前記第１冷却ファン、前記第２冷却ファンを構成する回路を含み、
前記他の電気回路である前記第２の電気回路は、前記システム制御部、前記映像処理部を構成する回路を含み、
前記他の電気回路である前記第３の電気回路は、前記第１光源、前記第１光学調整部を構成する回路を含み、
前記他の電気回路である前記第４の電気回路は、前記第２光源、前記第２光学調整部を構成する回路を含む、画像表示装置。
【発明の詳細な説明】
【技術分野】
【０００１】
本発明は、複数系統の外部電源からの給電に基づいて電力を供給する電源装置に関する。
【背景技術】
【０００２】
プロジェクター（投影装置）、プリンター（印刷装置）、プリンター複合機など、電力に基づいて動作する電気機器は、外部電源からの給電に基づく電力を電気機器内の電気回路に供給する電源装置を備える。電気機器には、一系統の外部電源では正常な動作に必要とされる電力が不足するものがあり、このような電気機器の電源装置として、複数系統の外部電源からの給電に基づいて電力を供給するものが知られている（例えば、特許文献１を参照）。
【先行技術文献】
【特許文献】
【０００３】
【特許文献１】特開２００８−２３９５１号公報
【発明の概要】
【発明が解決しようとする課題】
【０００４】
しかしながら、従来、電源装置に給電する複数系統の外部電源のうち、ある系統の外部電源から電力が供給されない場合の対応について十分な検討がなされていなかった。例えば、協働して動作する二つの電気回路に対して、それぞれ異なる系統の外部電源から電力を供給する構成では、一方の外部電源から電力が供給され、他方の外部電源から電力が供給されない状況が発生すると、電気機器の誤動作や故障などの不具合が発生してしまう可能性があった。
【０００５】
本発明は、上記した課題を踏まえ、電源装置に給電する複数系統の外部電源のうち、ある系統の外部電源から電力が供給されないことによる不具合を防止することができる技術を提供することを目的とする。
【課題を解決するための手段】
【０００６】
本発明は、上述の課題の少なくとも一部を解決するためになされたものであり、以下の形態または適用例として実現することが可能である。
【０００７】
［適用例１］  適用例１の電源装置は、第１〜第ｎ（ｎは２以上の自然数）の電気回路に電力を供給する電源装置であって、外部電源から電力を受給する第１〜第ｎの電力受給部と、前記第１〜第ｎの電気回路と前記第１〜第ｎの電力受給部との間をそれぞれ接続する第１〜第ｎの接続電路と、前記第１〜第ｎの接続電路に設けられた複数の接点を含み、前記第１〜第ｎの電力受給部のうち（ｎ−１）個の電力受給部によって供給される電力でそれぞれ動作することによって前記複数の接点の少なくとも一つを切り替える（ｎ−１）個のリレーとを備え、前記第１〜第ｎの電力受給部の少なくとも一つの電力受給部から電力が供給される場合、前記（ｎ−１）個のリレーによって、前記第１〜第ｎの電気回路のうち予め設定された一つの電気回路である特定回路に対して、前記特定回路とは異なる他の電気回路よりも優先的に電力が供給されることを特徴とする。適用例１の電源装置によれば、他の電気回路を制御する制御処理を実行する電気回路や、電源オフに先立つ準備処理を実行する電気回路を、特定回路として配置することによって、ある系統の外部電源から電力が供給されないことによる不具合を防止することができる。なお、本明細書において、「第１〜第ｎ」を付して複数の対象物を称呼する場合、「第１〜第ｎ」における数字は、これらの対象物の個々を単に識別するためのものであり、必ずしも優先度や重要度、電力消費量などを順位付けるものではない。
【０００８】
［適用例２］  適用例１の電源装置であって、前記第１〜第ｎの電力受給部の少なくとも一つの電力受給部から電力が供給される場合、前記（ｎ−１）個のリレーによって、前記第１〜第ｎの電気回路の各々に対して、前記特定回路に続いて予め設定された順序で優先的に電力が供給されても良い。適用例２の電源装置によれば、制御処理や準備処理の優先順位に応じて各電気回路を配置することによって、ある系統の外部電源から電力が供給されないことによる不具合を段階的に防止することができる。
【０００９】
［適用例３］  適用例１または適用例２の電源装置において、前記特定回路は、前記第１の電気回路であり、前記（ｎ−１）個のリレーは、前記第１〜第（ｎ−１）の電力受給部によって供給される電力でそれぞれ動作することによって前記複数の接点の少なくとも一つを切り替える前記第１〜第（ｎ−１）のリレーを含み、前記第１〜第（ｎ−１）のリレーのうち、第ｍ（ｍは１〜（ｎ−１）の自然数）のリレーは、第ｍの接続電路を介して第ｍの電力受給部に接続された電磁コイルと、前記第ｍの接続電路において前記電磁コイルよりも第ｍの電気回路側に設けられたメイン接点と、第ｓ（ｍ＜ｓ＜ｎを満たす自然数）の接続電路にそれぞれ設けられた（ｎ−ｍ−１）個のサブ接点と、前記第ｎの接続電路に設けられた絶縁接点とを含み、前記メイン接点は、前記電磁コイルの通電時に前記第ｍの接続電路を導通し、前記電磁コイルの非通電時に、前記メイン接点における前記第ｍの電気回路側を、前記第（ｍ＋１）の接続電路に設けられた前記絶縁接点における前記第（ｍ＋１）の電力受給部側に接続し、前記（ｎ−ｍ−１）個のサブ接点は、前記電磁コイルの通電時に前記第ｓの接続電路を導通し、前記電磁コイルの非通電時に、前記サブ接点における前記第ｓの電気回路側を、前記第（ｓ＋１）の接続電路に設けられた前記サブ接点または前記絶縁接点における前記第（ｓ＋１）の電力受給部側に接続し、前記絶縁接点は、前記電磁コイルの通電時に前記第ｎの接続電路を導通し、前記電磁コイルの非通電時に前記第ｎの接続電路を切断するとしても良い。適用例３の電源装置によれば、第１〜第ｎの電気回路の順序で優先的に電力を供給することができる。
【００１０】
［適用例４］  適用例１の電源装置において、前記特定回路は、前記第１の電気回路であり、前記（ｎ−１）個のリレーは、前記第１〜第（ｎ−１）の電力受給部によって供給される電力でそれぞれ動作することによって前記複数の接点の少なくとも一つを切り替える前記第１〜第（ｎ−１）のリレーを含み、前記第１〜第（ｎ−１）のリレーのうち、第ｍ（ｍは１〜（ｎ−１）の自然数）のリレーは、第ｍの接続電路を介して第ｍの電力受給部に接続された電磁コイルと、前記第ｍの接続電路において前記電磁コイルよりも第ｍの電気回路側に設けられたメイン接点と、前記第（ｍ＋１）の接続電路に設けられた絶縁接点とを含み、前記メイン接点は、前記電磁コイルの通電時に前記第ｍの接続電路を導通し、前記電磁コイルの非通電時に、前記メイン接点における前記第ｍの電気回路側を、前記サブ接点における前記第（ｍ＋１）の電力受給部側に接続し、前記絶縁接点は、前記電磁コイルの通電時に前記第（ｍ＋１）の接続電路を導通し、前記電磁コイルの非通電時に前記第（ｍ＋１）の接続電路を切断するとしても良い。適用例４の電源装置によれば、第１の電位回路を特定回路として優先的に電力を供給することができる。
【００１１】
［適用例５］  適用例１ないし適用例４のいずれかの電源装置において、前記特定回路は、前記他の電気回路の少なくとも一つに対する電力供給の有無を監視する監視部を含んでも良い。適用例５の電源装置によれば、他の電気回路における給電状態に応じた対応を特定回路において実行させることができる。
【００１２】
［適用例６］  適用例６の画像表示装置は、表示面に画像を表示する画像表示装置であって、適用例１ないし適用例５のいずれかの電源装置と、発光する第１光源と、前記第１光源に送風する第１冷却ファンと、前記第１光源からの光を変調させる第１変調光学系と、前記第１変調光学系の位置を調整する第１光学調整部と、発光する第２光源と、前記第２光源に送風する第２冷却ファンと、前記第２光源からの光を変調させる第２変調光学系と、前記第２変調光学系の位置を調整する第２光学調整部と、前記第１変調光学系で変調された光と前記第２変調光学系で変調された光とを合成して射出する合成部と、前記合成部から射出された光を前記表示面に投射する投射部と、映像データに基づいて、前記第１変調光学系および前記第２変調光学系における光の変調を制御する映像処理部と、前記画像表示装置における動作処理を制御するシステム制御部と、前記画像表示装置における電源のオンオフを管理する電源制御部とを備え、前記特定回路は、前記電源制御部、前記第１冷却ファン、前記第２冷却ファンを構成する回路を含むことを特徴とする。適用例６の画像表示装置によれば、少なくとも一系統の外部電源から電力が供給されていれば、第１冷却ファンおよび第２冷却ファンによる放熱処理を優先的に実施することができる。これによって、第１光源および第２光源から発生する過剰な熱による画像表示装置の不具合を防止することができる。
【００１３】
［適用例７］  適用例６の画像表示装置において、前記第１〜第ｎの電力受給部は、２系統の第１および第２の電力受給部であり、前記第１〜第ｎの電気回路は、第１および第２の電気回路であり、前記特定回路である前記第１の電気回路は、前記電源制御部、前記第１冷却ファン、前記第２冷却ファンに加え、前記システム制御部、前記映像処理部を構成する回路を含み、前記他の電気回路である前記第２の電気回路は、前記第１光源、前記第１光学調整部、前記第２光源、前記第２光学調整部を構成する回路を含むとしても良い。適用例７の画像表示装置によれば、２系統の外部電源から給電を受ける場合に、一方の外部電源から電力が供給されていれば、放熱処理に加え、システム制御部および映像処理部によって電源オフに先立つオフシーケンス処理を実施することができる。
【００１４】
［適用例８］  適用例６の画像表示装置において、前記第１〜第ｎの電力受給部は、４系統の第１〜第４の電力受給部であり、前記第１〜第ｎの電気回路は、第１〜第４の電気回路であって、前記第１〜第４の電気回路の順序で優先的に電力が供給され、前記特定回路である前記第１の電気回路は、前記電源制御部、前記第１冷却ファン、前記第２冷却ファンを構成する回路を含み、前記他の電気回路である前記第２の電気回路は、前記システム制御部、前記映像処理部を構成する回路を含み、前記他の電気回路である前記第３の電気回路は、前記第１光源、前記第１光学調整部を構成する回路を含み、前記他の電気回路である前記第４の電気回路は、前記第２光源、前記第２光学調整部を構成する回路を含むとしても良い。適用例８の画像表示装置によれば、４系統の外部電源から給電を受ける場合に、外部電源の給電状態に応じて、放熱処理に続く優先度で段階的に、システム制御部および映像処理部によって電源オフに先立つオフシーケンス処理を実施することができる。
【００１５】
本発明の形態は、電源装置および画像表示装置に限るものではなく、電源装置を備える電気機器、複数の電気回路に電力を供給する方法など他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１６】
【図１】プロジェクターの構成を示す説明図である。
【図２】電源装置の接続構成を示す説明図である。
【図３】電源装置の内部構成を示す説明図である。
【図４】図３の電源装置における外部電源の入力状態と電気回路への電源供給元との関係を示す説明図である。
【図５】第２実施例における電源装置の内部構成を示す説明図である。
【図６】図５の電源装置における外部電源の入力状態と電気回路への電源供給元との関係を示す説明図である。
【図７】第３実施例における電源装置の接続構成を示す説明図である。
【図８】第３実施例における電源装置の内部構成を示す説明図である。
【図９】第４実施例における電源制御部の構成を示す説明図である。
【発明を実施するための形態】
【００１７】
以上説明した本発明の構成および作用を一層明らかにするために、以下本発明を適用した電源装置を備えるプロジェクター（投影装置）について説明する。
【００１８】
Ａ．第１実施例：
Ａ１．プロジェクターの構成：
図１は、プロジェクター１０の構成を示す説明図である。プロジェクター１０は、スクリーン９０に投影された映像として画像を表示する画像表示装置である。スクリーン９０は、画像９１０が表示される表示面であり、映写幕であっても良いし、壁面であっても良い。本実施例では、スクリーン９０は、プロジェクター１０とは別体であるが、他の実施形態において、プロジェクター１０と一体であっても良い。
【００１９】
プロジェクター１０は、電源装置２０と、電源制御部７１０と、システム制御部７２０と、映像処理部７３０と、画像入力部７８０と、ユーザーインターフェイス７９０と、変調光生成部５０，６０と、合成部７０と、投射部８０とを備える。プロジェクター１０の電源装置２０は、複数系統の外部電源に基づく電力を、プロジェクター１０における種々の電気回路に供給する。本実施例では、電源装置２０は、商用電源（ＡＣ１００ボルト、２０アンペア）に接続する複数の電源コード２１１を備え、これら複数の電源コード２１１に接続された複数系統の商用電源に基づく電力を供給する。電源装置２０の詳細構成については後述する。
【００２０】
プロジェクター１０のユーザーインターフェイス７９０は、プロジェクター１０のユーザーとの間で情報のやり取りを実行する。プロジェクター１０の電源制御部７１０は、他の電気回路を制御する制御処理の一つである電源管理処理として、プロジェクター１０における他の電気回路に対して電源装置２０から供給される電源のオンオフを管理する。プロジェクター１０のシステム制御部７２０は、他の電気回路を制御する制御処理の一つであるシステム制御処理として、プロジェクター１０における他の電気回路の動作を制御する。システム制御部７２０によるシステム制御処理は、プロジェクター１０の電源オフに先立つ準備処理の一つとしてシステム制御部７２０の処理データを保存するオフシーケンス処理を含む。本実施例では、電源制御部７１０およびシステム制御部７２０の機能は、コンピュータープログラムに基づいてＣＰＵが動作することによって実現されるが、少なくとも一部の機能を物理的な回路構成に基づいて動作することによって実現しても良い。
【００２１】
プロジェクター１０の画像入力部７８０は、表示に用いる画像の入力を受け付ける。本実施例では、画像入力部７８０は、ＤＶＤを始めとする記録媒体の再生信号に基づく入力画像や、放送局からの放送信号に基づく入力画像、データ通信による通信信号に基づく入力画像など種々の入力画像を受け付け可能である。
【００２２】
プロジェクター１０の映像処理部７３０は、他の電気回路を制御する制御処理の一つである映像処理として、画像入力部７８０で受け付けられた入力画像に対して種々の画像処理を実施した後、画像処理された入力画像に基づく映像信号を出力する。映像処理部７３０による映像処理は、プロジェクター１０の電源オフに先立つ準備処理の一つとして映像処理部７３０の処理データを保存するオフシーケンス処理を含む。本実施例では、映像処理部７３０は、画像拡大処理（アップスケーリング処理、アップコンバート処理）、シャープネス処理（鮮鋭化処理）、超解像処理などの種々の画像処理を実施可能である。本実施例では、映像処理部７３０の機能は、映像処理部７３０の物理的な回路構成に基づいて動作することによって実現されるが、少なくとも一部の機能をコンピュータープログラムに基づいてＣＰＵが動作することによって実現しても良い。
【００２３】
本実施例では、プロジェクター１０は、映像処理部７３０から出力される映像信号に基づいて変調された変調光を、変調光生成部５０，６０の二系統で生成し、これらの変調光を合成することによって、ＨＤＴＶ（High Definition TeleVision）規格を始めとする比較的に高い解像度の高解像度画像の表示や、単一光源による映像よりも比較的に高い輝度の高輝度画像の表示を実現する。
【００２４】
プロジェクター１０の変調光生成部５０は、第１系統の変調光を生成し、冷却ファン５１と、光源５２と、変調光学系５５と、光学調整部５８とを備える。プロジェクター１０の変調光生成部６０は、第２系統の変調光を生成し、冷却ファン６１と、光源６２と、変調光学系６５と、光学調整部６８とを備える。
【００２５】
変調光生成部５０の冷却ファン５１は、光源５２に送風することによって光源５２を冷却する第１冷却ファンである。変調光生成部６０の冷却ファン６１は、光源６２に送風することによって光源６２を冷却する第２冷却ファンである。冷却ファン５１，６１は、プロジェクター１０の電源オフに先立つ準備処理の一つである放熱処理として、光源５２，６２が設定温度以下になるまで、または、電源オフの指示から設定時間が経過するまで、光源５２，６２に対する送風を継続する。
【００２６】
変調光生成部５０の光源５２は、第１系統の変調光の元となる光を発生させる第１光源である。変調光生成部６０の光源６２は、第２系統の変調光の元となる光を発生させる第２光源である。本実施例では、光源５２，６２は、放電灯であるが、レーザーダイオード（Laser Diode：ＬＤ）、発光ダイオード（Light Emitting Diode：ＬＥＤ）、有機発光ダイオード（Organic Light Emitting Diode：ＯＬＥＤ）などの他の光源であっても良い。本実施例では、光源５２，６２の各々における放電灯の個数は二つであるが、他の実施形態において、一つであっても良いし、三つ以上であっても良い。
【００２７】
変調光生成部５０の変調光学系５５は、映像処理部７３０から出力される映像信号に基づいて、光源５２からの光を変調させる第１変調光学系である。本実施例では、変調光学系５５は、ダイクロイックミラー５３，５４を通じて光源５２からの光を分離した赤色光，緑色光，青色光を、三つの空間光変調器５６ｒ，５６ｇ，５６ｂでそれぞれ変調した後、これらの変調光をダイクロイックプリズム５７で合成して射出する。変調光生成部６０の変調光学系６５は、映像処理部７３０から出力される映像信号に基づいて、光源６２からの光を変調させる第２変調光学系である。本実施例では、変調光学系６５は、ダイクロイックミラー６３，６４を通じて光源６２からの光を分離した赤色光，緑色光，青色光を、三つの空間光変調器６６ｒ，６６ｇ，６６ｂでそれぞれ変調した後、これらの変調光をダイクロイックプリズム６７で合成して射出する。本実施例では、空間光変調器の数は三つであるが、他の実施形態において、三つ以下であっても良いし、三つ以上であっても良い。本実施例では、空間光変調器は、透過光を変調させる透過型液晶パネルであるが、他の実施形態において、反射光を変調させる反射型液晶パネルであっても良いし、デジタル・マイクロ・ミラーデバイス（Digital Micromirror Device、ＤＭＤ）を始めとするマイクロミラー型光変調装置であっても良い。
【００２８】
本実施例では、プロジェクター１０のシステム制御部７２０および画像入力部７８０は、プロジェクター１０の電源オフに先立つ準備処理の一つとして、空間光変調器５６ｒ，５６ｇ，５６ｂおよび空間光変調器６６ｒ，６６ｇ，６６ｂにおける液晶パネルの焼き付き防止のためのオフシーケンス処理を実行する。具体的には、このオフシーケンス処理では、液晶パネルの各画素に蓄積された電荷を除去する処理、液晶パネルの共通電極の電位をグランドレベルに落とす処理、複数の電源やリファレンス電圧のオフタイミングを制御する処理などが実行される。
【００２９】
変調光生成部５０の光学調整部５８は、変調光学系５５の位置を調整する第１光学調整部である。変調光生成部６０の光学調整部６８は、変調光学系６５の位置を調整する第２光学調整部である。本実施例では、光学調整部５８，６８は、高解像度画像を表示する動作モードでは、変調光学系５５，６５による光学像の各々が斜め方向に半画素分ずれるように変調光学系５５，６５の位置を調整し、高輝度画像を表示する動作モードでは、変調光学系５５，６５による光学像の各々が重なり合うように変調光学系５５，６５の位置を調整する。本実施例では、光学調整部５８，６８は、圧電アクチュエーターであるが、他の実施形態において、ソレノイドアクチュエーター、空気圧アクチュエーター、油圧アクチュエーターなどの他のアクチュエーターであっても良い。
【００３０】
プロジェクター１０の合成部７０は、変調光生成部５０からの変調光と変調光生成部６０からの変調光とを合成して射出する。本実施例では、合成部７０は、偏光合成プリズムであり、変調光生成部５０から入射された光を投射部８０へと直進させ、変調光生成部６０から入射された光の進行方向を９０°曲げて投射部８０へと導くことによって、変調光生成部５０，６０からそれぞれ射出された変調光を合成して射出する。
【００３１】
プロジェクター１０の投射部８０は、合成部７０から射出された変調光をスクリーン９０に投射する。本実施例では、投射部８０は、フロントレンズ，ズームレンズ，マスタレンズ，フォーカスレンズなどの複数のレンズを配列した投射レンズユニットであるが、投射レンズユニットに限るものではなく、非球面レンズ，拡大レンズ，拡散ガラス，非球面ミラー，反射ミラーの少なくとも一つを用いて、合成部７０から射出される光をスクリーン９０に反射させる光学系であっても良い。
【００３２】
Ａ２．電源装置の詳細構成：
図２は、電源装置２０の接続構成を示す説明図である。プロジェクター１０の電源装置２０は、四系統の外部電源ＰＳ１，ＰＳ２，ＰＳ３，ＰＳ４にそれぞれ電源コード２１１を介して接続され、これらの外部電源に基づく電力を、プロジェクター１０における四系統の電気回路ＥＣ１，ＥＣ２，ＥＣ３，ＥＣ４に供給する。電気回路ＥＣ１は、第１の電気回路であり、電源制御部７１０および冷却ファン５１，６１を構成する回路を含む。電気回路ＥＣ２は、第２の電気回路であり、システム制御部７２０および映像処理部７３０を構成する回路を含む。電気回路ＥＣ３は、第３の電気回路であり、光源５２および光学調整部５８を構成する回路を含む。電気回路ＥＣ４は、第４の電気回路であり、光源６２および光学調整部６８を構成する回路を含む。
【００３３】
四系統の外部電源ＰＳ１，ＰＳ２，ＰＳ３，ＰＳ４の全てから給電可能である場合、外部電源ＰＳ１からの電力は電気回路ＥＣ１に供給され、外部電源ＰＳ２からの電力は電気回路ＥＣ２に供給され、外部電源ＰＳ３からの電力は電気回路ＥＣ３に供給され、外部電源ＰＳ４からの電力は電気回路ＥＣ４に供給される。これに対して、四系統の外部電源ＰＳ１，ＰＳ２，ＰＳ３，ＰＳ４の全てからは電力を給電できないが、少なくとも一つの外部電源から電力を給電可能である場合、四系統の電気回路ＥＣ１，ＥＣ２，ＥＣ３，ＥＣ４のうち予め設定された一つの電気回路である特定回路に対して、他の電気回路よりも優先的に電力が供給されると共に、四系統の電気回路ＥＣ１，ＥＣ２，ＥＣ３，ＥＣ４に対して、特定回路に続いて予め設定された順序で優先的に電力が供給される。本実施例では、電気回路ＥＣ１が特定回路として予め設定され、電気回路ＥＣ１，ＥＣ２，ＥＣ３，ＥＣ４の順序で優先的に電力が供給されるが、他の実施形態において、特定回路および優先順位を適宜設定することができる。
【００３４】
図３は、電源装置２０の内部構成を示す説明図である。電源装置２０は、四系統の外部電源ＰＳ１，ＰＳ２，ＰＳ３，ＰＳ４および四系統の電気回路ＥＣ１，ＥＣ２，ＥＣ３，ＥＣ４に対応して、四つの電力受給部２１−１，２１−２，２１−３，２１−４と、四つの電力出力部２９−１，２９−２，２９−３，２９−４と、四つの接続電路２５−１，２５−２，２５−３，２５−４と、三つのリレーＲｙ１，Ｒｙ２，Ｒｙ３とを備える。
【００３５】
電源装置２０の電力受給部２１−１は、第１の電力受給部であり、外部電源ＰＳ１から電力を受給可能に構成されている。電源装置２０の電力受給部２１−２は、第２の電力受給部であり、外部電源ＰＳ２から電力を受給可能に構成されている。電源装置２０の電力受給部２１−３は、第３の電力受給部であり、外部電源ＰＳ３から電力を受給可能に構成されている。電源装置２０の電力受給部２１−４は、第４の電力受給部であり、外部電源ＰＳ４から電力を受給可能に構成されている。
【００３６】
電源装置２０の電力出力部２９−１は、第１の電力出力部であり、電気回路ＥＣ１に対して電力を出力可能に構成されている。電源装置２０の電力出力部２９−２は、第２の電力出力部であり、電気回路ＥＣ２に対して電力を出力可能に構成されている。電源装置２０の電力出力部２９−３は、第３の電力出力部であり、電気回路ＥＣ３に対して電力を出力可能に構成されている。電源装置２０の電力出力部２９−４は、第４の電力出力部であり、電気回路ＥＣ４に対して電力を出力可能に構成されている。
【００３７】
電源装置２０の接続電路２５−１は、第１の接続電路であり、電力受給部２１−１と電力出力部２９−１との間を直列接続することによって電力受給部２１−１から電力出力部２９−１に対して電力を供給可能に構成されている。電源装置２０の接続電路２５−２は、第２の接続電路であり、電力受給部２１−２と電力出力部２９−２との間を直列接続することによって電力受給部２１−２から電力出力部２９−２に対して電力を供給可能に構成されている。電源装置２０の接続電路２５−３は、第３の接続電路であり、電力受給部２１−３と電力出力部２９−３との間を直列接続することによって電力受給部２１−３から電力出力部２９−３に対して電力を供給可能に構成されている。電源装置２０の接続電路２５−４は、第４の接続電路であり、電力受給部２１−４と電力出力部２９−４との間を直列接続することによって電力受給部２１−４から電力出力部２９−４に対して電力を供給可能に構成されている。
【００３８】
電源装置２０のリレーＲｙ１は、電磁コイルＬ１と、接点Ｓ１１，Ｓ１２，Ｓ１３，Ｓ１４とを備える継電器である。電源装置２０のリレーＲｙ２は、電磁コイルＬ２と、接点Ｓ２１，Ｓ２２，Ｓ２３とを備える継電器である。電源装置２０のリレーＲｙ３は、電磁コイルＬ３と、接点Ｓ３１，Ｓ３２とを備える継電器である。
【００３９】
リレーＲｙ１の電磁コイルＬ１は、接続電路２５−１を介して電力受給部２１−１に接続され、電力受給部２１−１から供給される電流の有無に応じて、接点Ｓ１１，Ｓ１２，Ｓ１３，Ｓ１４における接続を切り替える。リレーＲｙ２の電磁コイルＬ２は、接続電路２５−２を介して電力受給部２１−２に接続され、電力受給部２１−２から供給される電流の有無に応じて、接点Ｓ２１，Ｓ２２，Ｓ２３における接続を切り替える。リレーＲｙ３の電磁コイルＬ３は、接続電路２５−３を介して電力受給部２１−３に接続され、電力受給部２１−３から供給される電流の有無に応じて、接点Ｓ３１，Ｓ３２における接続を切り替える。
【００４０】
リレーＲｙ１の接点Ｓ１１は、リレーＲｙ１のメイン接点であり、三つの端子Ｔａ，Ｔｂ，Ｔｃを備え、接続電路２５−１において電磁コイルＬ１よりも電力出力部２９−１側に設けられている。接点Ｓ１１の端子Ｔａは、接続電路２５−１の電力受給部２１−１側に接続され、接点Ｓ１１の端子Ｔｂは、接続電路２５−２における接点Ｓ１２の電力受給部２１−２側に接続され、接点Ｓ１１の端子Ｔｃは、接続電路２５−１の電力出力部２９−１側に接続されている。接点Ｓ１１は、電磁コイルＬ１に電流が流れている通電時に、端子Ｔａと端子Ｔｃとの間を接続することによって接続電路２５−１を導通し、電磁コイルＬ１に電流が流れていない非導通時に、端子Ｔｂと端子Ｔｃとを接続することによって、接続電路２５−２における接点Ｓ１２の電力受給部２１−２側を、接続電路２５−１の電力出力部２９−１側に接続する。
【００４１】
リレーＲｙ１の接点Ｓ１２は、リレーＲｙ１における二つのサブ接点の一つであり、三つの端子Ｔａ，Ｔｂ，Ｔｃを備え、接続電路２５−２においてリレーＲｙ２の接点Ｓ２１よりも電力出力部２９−２側に設けられている。接点Ｓ１２の端子Ｔａは、接続電路２５−２の電力受給部２１−２側に接続され、接点Ｓ１２の端子Ｔｂは、接続電路２５−３における接点Ｓ１３の電力受給部２１−３側に接続され、接点Ｓ１２の端子Ｔｃは、接続電路２５−２の電力出力部２９−２側に接続されている。接点Ｓ１２は、電磁コイルＬ１の通電時に、端子Ｔａと端子Ｔｃとの間を接続することによって接続電路２５−２を導通し、電磁コイルＬ１の非導通時に、端子Ｔｂと端子Ｔｃとを接続することによって、接続電路２５−３における接点Ｓ１３の電力受給部２１−３側を、接続電路２５−２の電力出力部２９−２側に接続する。
【００４２】
リレーＲｙ１の接点Ｓ１３は、リレーＲｙ１における二つのサブ接点の一つであり、三つの端子Ｔａ，Ｔｂ，Ｔｃを備え、接続電路２５−３においてリレーＲｙ２の接点Ｓ２２よりも電力出力部２９−３側に設けられている。接点Ｓ１３の端子Ｔａは、接続電路２５−３の電力受給部２１−３側に接続され、接点Ｓ１３の端子Ｔｂは、接続電路２５−４における接点Ｓ１４の電力受給部２１−４側に接続され、接点Ｓ１３の端子Ｔｃは、接続電路２５−３の電力出力部２９−３側に接続されている。接点Ｓ１３は、電磁コイルＬ１の通電時に、端子Ｔａと端子Ｔｃとの間を接続することによって接続電路２５−３を導通し、電磁コイルＬ１の非導通時に、端子Ｔｂと端子Ｔｃとを接続することによって、接続電路２５−４における接点Ｓ１４の電力受給部２１−４側を、接続電路２５−３の電力出力部２９−３側に接続する。
【００４３】
リレーＲｙ１の接点Ｓ１４は、リレーＲｙ１における絶縁接点であり、三つの端子Ｔａ，Ｔｂ，Ｔｃを備え、接続電路２５−４においてリレーＲｙ２の接点Ｓ２３よりも電力出力部２９−４側に設けられている。接点Ｓ１４の端子Ｔａは、接続電路２５−４の電力受給部２１−４側に接続され、接点Ｓ１４の端子Ｔｂは電気的に絶縁され、接点Ｓ１４の端子Ｔｃは、接続電路２５−４の電力出力部２９−４側に接続されている。接点Ｓ１４は、電磁コイルＬ１の通電時に、端子Ｔａと端子Ｔｃとの間を接続することによって接続電路２５−４を導通し、電磁コイルＬ１の非導通時に、端子Ｔｂと端子Ｔｃとを接続することによって接続電路２５−４を切断する。
【００４４】
リレーＲｙ２の接点Ｓ２１は、リレーＲｙ２のメイン接点であり、三つの端子Ｔａ，Ｔｂ，Ｔｃを備え、接続電路２５−２において電磁コイルＬ２よりも電力出力部２９−２側に設けられている。接点Ｓ２１の端子Ｔａは、接続電路２５−２の電力受給部２１−２側に接続され、接点Ｓ２１の端子Ｔｂは、接続電路２５−３における接点Ｓ２２の電力受給部２１−３側に接続され、接点Ｓ２１の端子Ｔｃは、接続電路２５−２の電力出力部２９−２側に接続されている。接点Ｓ２１は、電磁コイルＬ２の通電時に、端子Ｔａと端子Ｔｃとの間を接続することによって接続電路２５−２を導通し、電磁コイルＬ２の非導通時に、端子Ｔｂと端子Ｔｃとを接続することによって、接続電路２５−３における接点Ｓ２２の電力受給部２１−３側を、接続電路２５−２の電力出力部２９−２側に接続する。
【００４５】
リレーＲｙ２の接点Ｓ２２は、リレーＲｙ２のサブ接点であり、三つの端子Ｔａ，Ｔｂ，Ｔｃを備え、接続電路２５−３においてリレーＲｙ３の接点Ｓ３１よりも電力出力部２９−３側に設けられている。接点Ｓ２２の端子Ｔａは、接続電路２５−３の電力受給部２１−３側に接続され、接点Ｓ２２の端子Ｔｂは、接続電路２５−４における接点Ｓ２３の電力受給部２１−４側に接続され、接点Ｓ２２の端子Ｔｃは、接続電路２５−３の電力出力部２９−３側に接続されている。接点Ｓ２２は、電磁コイルＬ２の通電時に、端子Ｔａと端子Ｔｃとの間を接続することによって接続電路２５−３を導通し、電磁コイルＬ２の非導通時に、端子Ｔｂと端子Ｔｃとを接続することによって、接続電路２５−４における接点Ｓ２３の電力受給部２１−４側を、接続電路２５−３の電力出力部２９−３側に接続する。
【００４６】
リレーＲｙ２の接点Ｓ２３は、リレーＲｙ２における絶縁接点であり、三つの端子Ｔａ，Ｔｂ，Ｔｃを備え、接続電路２５−４においてリレーＲｙ３の接点Ｓ３２よりも電力出力部２９−４側に設けられている。接点Ｓ２３の端子Ｔａは、接続電路２５−４の電力受給部２１−４側に接続され、接点Ｓ２３の端子Ｔｂは電気的に絶縁され、接点Ｓ２３の端子Ｔｃは、接続電路２５−４の電力出力部２９−４側に接続されている。接点Ｓ２３は、電磁コイルＬ２の通電時に、端子Ｔａと端子Ｔｃとの間を接続することによって接続電路２５−４を導通し、電磁コイルＬ２の非導通時に、端子Ｔｂと端子Ｔｃとを接続することによって接続電路２５−４を切断する。
【００４７】
リレーＲｙ３の接点Ｓ３１は、リレーＲｙ３のメイン接点であり、三つの端子Ｔａ，Ｔｂ，Ｔｃを備え、接続電路２５−３において電磁コイルＬ３よりも電力出力部２９−３側に設けられている。接点Ｓ３１の端子Ｔａは、接続電路２５−３の電力受給部２１−３側に接続され、接点Ｓ３１の端子Ｔｂは、接続電路２５−４における接点Ｓ３２の電力受給部２１−４側に接続され、接点Ｓ３１の端子Ｔｃは、接続電路２５−３の電力出力部２９−３側に接続されている。接点Ｓ３１は、電磁コイルＬ３の通電時に、端子Ｔａと端子Ｔｃとの間を接続することによって接続電路２５−３を導通し、電磁コイルＬ２の非導通時に、端子Ｔｂと端子Ｔｃとを接続することによって、接続電路２５−４における接点Ｓ３２の電力受給部２１−４側を、接続電路２５−３の電力出力部２９−３側に接続する。
【００４８】
リレーＲｙ３の接点Ｓ３２は、リレーＲｙ３における絶縁接点であり、三つの端子Ｔａ，Ｔｂ，Ｔｃを備え、接続電路２５−４に設けられている。接点Ｓ３２の端子Ｔａは、接続電路２５−４の電力受給部２１−４側に接続され、接点Ｓ３２の端子Ｔｂは電気的に絶縁され、接点Ｓ３２の端子Ｔｃは、接続電路２５−４の電力出力部２９−４側に接続されている。接点Ｓ３２は、電磁コイルＬ３の通電時に、端子Ｔａと端子Ｔｃとの間を接続することによって接続電路２５−４を導通し、電磁コイルＬ３の非導通時に、端子Ｔｂと端子Ｔｃとを接続することによって接続電路２５−４を切断する。
【００４９】
図４は、図３の電源装置２０における外部電源の入力状態と電気回路への電源供給元との関係を示す説明図である。図４には、外部電源ＰＳ１，ＰＳ２，ＰＳ３，ＰＳ４の電源入力の有無の組み合わせである１６種類の入力状態ごとに、電気回路ＥＣ１，ＥＣ２，ＥＣ３，ＥＣ４の各々に対する電源供給元を示した。
【００５０】
図４における入力状態１〜１５に示すように、外部電源ＰＳ１，ＰＳ２，ＰＳ３，ＰＳ４の少なくとも一つの外部電源から電源入力がある場合、特定回路として予め設定された電気回路ＥＣ１に対して、他の電気回路ＥＣ２，ＥＣ３，ＥＣ４よりも優先的に電力が供給される。また、図４における入力状態１〜１５に示すように、外部電源ＰＳ１，ＰＳ２，ＰＳ３，ＰＳ４の少なくとも一つの外部電源から電源入力がある場合、特定回路である電気回路ＥＣ１に続いて予め設定された電気回路ＥＣ２，ＥＣ３，ＥＣ４の順序で優先的に電力が供給される。
【００５１】
Ａ３．効果：
以上説明した電源装置２０によれば、外部電源ＰＳ１，ＰＳ２，ＰＳ３，ＰＳ４の少なくとも一つの外部電源から電源入力がある場合、電源制御部７１０および冷却ファン５１，６１を構成する回路を含む電気回路ＥＣ１に対して他の電気回路ＥＣ２，ＥＣ３，ＥＣ４よりも優先的に電力が供給されるため、少なくとも一系統の外部電源から電力が供給されていれば、冷却ファン５１，６１による放熱処理を優先的に実施することができる。これによって、光源５２，６２から発生する過剰な熱によるプロジェクター１０の不具合を防止することができる。
【００５２】
また、外部電源ＰＳ１，ＰＳ２，ＰＳ３，ＰＳ４の入力状態に応じて、冷却ファン５１，６１による放熱処理に続く優先度で段階的に、システム制御部７２０および映像処理部７３０によるオフシーケンス処理を実施することができる。これによって、オフシーケンス処理が実行できないことによるプロジェクター１０の不具合を抑制することができる。
【００５３】
Ｂ．第２実施例：
第２実施例におけるプロジェクター１０は、電源装置２０の構成および動作が異なる点を除き、第１実施例と同様である。第２実施例では、四系統の外部電源ＰＳ１，ＰＳ２，ＰＳ３，ＰＳ４の全てからは給電できないが、少なくとも一つの外部電源から電力を給電可能である場合、四系統の電気回路ＥＣ１，ＥＣ２，ＥＣ３，ＥＣ４のうち予め設定された一つの電気回路である特定回路に対して、他の電気回路よりも優先的に電力が供給される。第１実施例では、特定回路に続いて予め設定された順序で優先的に電力が供給されたが、第２実施例では、特定回路に続く優先順位は設定されていない。第２実施例では、電気回路ＥＣ１が特定回路として予め設定されているが、他の実施形態において、電気回路ＥＣ２，ＥＣ３，ＥＣ４のいずれかを特定回路として設定しても良い。
【００５４】
図５は、第２実施例における電源装置２０の内部構成を示す説明図である。第２実施例における電源装置２０は、リレーＲｙ１，Ｒｙ２の構成が異なる点、および電源装置２０の動作が異なる点を除き、第１実施例と同様である。
【００５５】
第２実施例における電源装置２０のリレーＲｙ１は、電磁コイルＬ１と、接点Ｓ１１，Ｓ１２とを備える継電器である。第２実施例におけるリレーＲｙ１は、接点Ｓ１２の構成が異なる点、および接点Ｓ１３，Ｓ１４を備えない点を除き、第１実施例と同様である。第２実施例におけるリレーＲｙ１の接点Ｓ１２は、リレーＲｙ１における絶縁接点であり、三つの端子Ｔａ，Ｔｂ，Ｔｃを備え、接続電路２５−２においてリレーＲｙ２の接点Ｓ２１よりも電力出力部２９−２側に設けられている。接点Ｓ１２の端子Ｔａは、接続電路２５−２の電力受給部２１−２側に接続され、接点Ｓ１２の端子Ｔｂは電気的に絶縁され、接点Ｓ１２の端子Ｔｃは、接続電路２５−２の電力出力部２９−２側に接続されている。接点Ｓ１２は、電磁コイルＬ１の通電時に、端子Ｔａと端子Ｔｃとの間を接続することによって接続電路２５−２を導通し、電磁コイルＬ１の非導通時に、端子Ｔｂと端子Ｔｃとを接続することによって接続電路２５−２を切断する。
【００５６】
第２実施例における電源装置２０のリレーＲｙ２は、電磁コイルＬ２と、接点Ｓ２１，Ｓ２２とを備える継電器である。第２実施例におけるリレーＲｙ２は、接点Ｓ２２の構成が異なる点、および接点Ｓ２３を備えない点を除き、第１実施例と同様である。第２実施例におけるリレーＲｙ２の接点Ｓ２２は、リレーＲｙ２における絶縁接点であり、三つの端子Ｔａ，Ｔｂ，Ｔｃを備え、接続電路２５−３においてリレーＲｙ３の接点Ｓ３１よりも電力出力部２９−３側に設けられている。接点Ｓ２２の端子Ｔａは、接続電路２５−３の電力受給部２１−３側に接続され、接点Ｓ２２の端子Ｔｂは電気的に絶縁され、接点Ｓ２２の端子Ｔｃは、接続電路２５−３の電力出力部２９−３側に接続されている。接点Ｓ２２は、電磁コイルＬ２の通電時に、端子Ｔａと端子Ｔｃとの間を接続することによって接続電路２５−３を導通し、電磁コイルＬ２の非導通時に、端子Ｔｂと端子Ｔｃとを接続することによって接続電路２５−３を切断する。
【００５７】
図６は、図５の電源装置２０における外部電源の入力状態と電気回路への電源供給元との関係を示す説明図である。図５には、図４と同様に、外部電源ＰＳ１，ＰＳ２，ＰＳ３，ＰＳ４の電源入力の有無の組み合わせである１６種類の入力状態ごとに、電気回路ＥＣ１，ＥＣ２，ＥＣ３，ＥＣ４の各々に対する電源供給元を示した。図６における入力状態１〜１５に示すように、外部電源ＰＳ１，ＰＳ２，ＰＳ３，ＰＳ４の少なくとも一つの外部電源から電源入力がある場合、特定回路として予め設定された電気回路ＥＣ１に対して、他の電気回路ＥＣ２，ＥＣ３，ＥＣ４よりも優先的に電力が供給される。
【００５８】
以上説明した第２実施例の電源装置２０によれば、第１実施例と同様に、外部電源ＰＳ１，ＰＳ２，ＰＳ３，ＰＳ４の少なくとも一つの外部電源から電源入力がある場合、電源制御部７１０および冷却ファン５１，６１を構成する回路を含む電気回路ＥＣ１に対して他の電気回路ＥＣ２，ＥＣ３，ＥＣ４よりも優先的に電力が供給されるため、少なくとも一系統の外部電源から給電されていれば、冷却ファン５１，６１による放熱処理を優先的に実施することができる。これによって、光源５２，６２から発生する過剰な熱によるプロジェクター１０の不具合を防止することができる。
【００５９】
Ｃ．第３実施例：
第３実施例におけるプロジェクター１０は、電源装置２０の構成および動作が異なる点を除き、第１実施例と同様である。
【００６０】
図７は、第３実施例における電源装置２０の接続構成を示す説明図である。第３実施例におけるプロジェクター１０の電源装置２０は、二系統の外部電源ＰＳ１，ＰＳ２にそれぞれ電源コード２１１を介して接続され、これらの外部電源に基づく電力を、プロジェクター１０における二系統の電気回路ＥＣ１，ＥＣ２に供給する。電気回路ＥＣ１は、第１の電気回路であり、電源制御部７１０、冷却ファン５１，６１、システム制御部７２０、映像処理部７３０を構成する回路を含む。電気回路ＥＣ２は、第２の電気回路であり、光源５２，６２および光学調整部５８，６８を構成する回路を含む。
【００６１】
二系統の外部電源ＰＳ１，ＰＳ２の両方から給電可能である場合、外部電源ＰＳ１からの電力は電気回路ＥＣ１に供給され、外部電源ＰＳ２からの電力は電気回路ＥＣ２に供給される。これに対して、二系統の外部電源ＰＳ１，ＰＳ２の一方から給電可能である場合、二系統の電気回路ＥＣ１，ＥＣ２のうち予め設定された一方の電気回路である特定回路に対して、他方の電気回路よりも優先的に電力が供給される。本実施例では、電気回路ＥＣ１が特定回路として予め設定されているが、他の実施形態において、電気回路ＥＣ２を特定回路に設定しても良い。
【００６２】
図８は、第３実施例における電源装置２０の内部構成を示す説明図である。第３実施例の電源装置２０は、二系統の外部電源ＰＳ１，ＰＳ２および二系統の電気回路ＥＣ１，ＥＣ２に対応して、二つの電力受給部２１−１，２１−２と、二つの電力出力部２９−１，２９−２と、二つの接続電路２５−１，２５−２と、一つのリレーＲｙ１とを備える。第３実施例における電力受給部２１−１，２１−２、電力出力部２９−１，２９−２、接続電路２５−１，２５−２の構成は、第１実施例と同様である。
【００６３】
第３実施例のリレーＲｙ１は、電磁コイルＬ１と、接点Ｓ１１，Ｓ１２とを備える継電器である。第３実施例の電磁コイルＬ１は、接続電路２５−１を介して電力受給部２１−１に接続され、電力受給部２１−１から供給される電流の有無に応じて、接点Ｓ１１，Ｓ１２における接続を切り替える。
【００６４】
第３実施例の接点Ｓ１１は、リレーＲｙ１のメイン接点であり、三つの端子Ｔａ，Ｔｂ，Ｔｃを備え、接続電路２５−１において電磁コイルＬ１よりも電力出力部２９−１側に設けられている。接点Ｓ１１の端子Ｔａは、接続電路２５−１の電力受給部２１−１側に接続され、接点Ｓ１１の端子Ｔｂは、接続電路２５−２における接点Ｓ１２の電力受給部２１−２側に接続され、接点Ｓ１１の端子Ｔｃは、接続電路２５−１の電力出力部２９−１側に接続されている。接点Ｓ１１は、電磁コイルＬ１の通電時に、端子Ｔａと端子Ｔｃとの間を接続することによって接続電路２５−１を導通し、電磁コイルＬ１の非導通時に、端子Ｔｂと端子Ｔｃとを接続することによって、接続電路２５−２における接点Ｓ１２の電力受給部２１−２側を、接続電路２５−１の電力出力部２９−１側に接続する。
【００６５】
第３実施例の接点Ｓ１２は、リレーＲｙ１における絶縁接点であり、三つの端子Ｔａ，Ｔｂ，Ｔｃを備え、接続電路２５−２に設けられている。接点Ｓ１２の端子Ｔａは、接続電路２５−２の電力受給部２１−２側に接続され、接点Ｓ１２の端子Ｔｂは電気的に絶縁され、接点Ｓ１２の端子Ｔｃは、接続電路２５−２の電力出力部２９−２側に接続されている。接点Ｓ１２は、電磁コイルＬ１の通電時に、端子Ｔａと端子Ｔｃとの間を接続することによって接続電路２５−２を導通し、電磁コイルＬ１の非導通時に、端子Ｔｂと端子Ｔｃとを接続することによって接続電路２５−２を切断する。
【００６６】
以上説明した第３実施例の電源装置２０によれば、外部電源ＰＳ１，ＰＳ２の一方から電源入力がある場合、電源制御部７１０、冷却ファン５１，６１、システム制御部７２０、映像処理部７３０を構成する回路を含む電気回路ＥＣ１に対して電気回路ＥＣ２よりも優先的に電力が供給されるため、少なくとも一系統の外部電源から電力が供給されていれば、冷却ファン５１，６１による放熱処理、システム制御部７２０および映像処理部７３０によるオフシーケンス処理を優先的に実施することができる。これによって、光源５２，６２から発生する過剰な熱によるプロジェクター１０の不具合や、オフシーケンス処理が実行できないことによるプロジェクター１０の不具合を防止することができる。
【００６７】
Ｄ．第４実施例：
第４実施例におけるプロジェクター１０は、電源制御部７１０の構成が異なる点を除き、第１実施例と同様である。図９は、第４実施例における電源制御部７１０の構成を示す説明図である。前述したように、プロジェクター１０の電源装置２０には、電源制御部７１０を構成する回路を含む電気回路ＥＣ１が特定回路として接続されている。第４実施例におけるプロジェクター１０の電源制御部７１０は、特定回路とは異なる電気回路ＥＣ２，ＥＣ３，ＥＣ４に対する電力供給の有無を監視する監視部７１２を備える。第４実施例では、電源制御部７１０は、特定回路とは異なる電気回路ＥＣ２，ＥＣ３，ＥＣ４のいずれかに給電されていない状態を監視部７１２によって把握すると、異常であると判断して安全停止処理を実施する。このように第４実施例の電源装置２０によれば、特定回路とは異なる電気回路ＥＣ２，ＥＣ３，ＥＣ４における給電状態に応じた対応を、特定回路である電気回路ＥＣ１において実行させることができる。
【００６８】
Ｅ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、本発明の実施の形態はプロジェクターに限るものではなく、液晶ディスプレーやプラズマディスプレーなど他の画像表示装置の形態であっても良い。また、電源装置２０を備える電気機器は、画像表示装置に限るものではなく、プリンターやプリンター複合機など、複数系統の外部電源から電力を受給する他の電気機器に適用することができる。
【００６９】
また、本発明の電源装置として、第１実施例および第２実施例では四系統の外部電源に接続された例を示し、第３実施例では二系統の外部電源に接続された例を示したが、これらの系統数に限るものではなく、二以上の系統数の外部電源に接続された電源装置に本発明を適用することができる。また、第４実施例における電源制御部７１０の監視部７１２を第２実施例や第３実施例に適用しても良い。
【符号の説明】
【００７０】
１０…プロジェクター
２０…電源装置
２１−１〜４…電力受給部
２５−１〜４…接続電路
２９−１〜４…電力出力部
５０…変調光生成部
５１…冷却ファン
５２…光源
５３，５４…ダイクロイックミラー
５５…変調光学系
５６ｒ、５６ｇ、５６ｂ…空間光変調器
５７…ダイクロイックプリズム
５８…光学調整部
６０…変調光生成部
６１…冷却ファン
６２…光源
６３，６４…ダイクロイックミラー
６５…変調光学系
６６ｒ、６６ｇ、６６ｂ…空間光変調器
６７…ダイクロイックプリズム
６８…光学調整部
７０…合成部
８０…投射部
９０…スクリーン
２１１…電源コード
７１０…電源制御部
７１２…監視部
７２０…システム制御部
７３０…映像処理部
７８０…画像入力部
７９０…ユーザーインターフェイス
９１０…画像
Ｌ１、Ｌ２、Ｌ３…電磁コイル
Ｔａ、Ｔｂ、Ｔｃ…端子
Ｓ１１、Ｓ１２，Ｓ１３、Ｓ１４、Ｓ２１、Ｓ２２、Ｓ２３、Ｓ３１、Ｓ３２…接点
ＥＣ１〜４…電気回路
ＰＳ１〜４…外部電源
Ｒｙ１、Ｒｙ２，Ｒｙ３…リレー
【図１】
2011217577.tif 000003
【図２】
2011217577.tif 000004
【図３】
2011217577.tif 000005
【図４】
2011217577.tif 000006
【図５】
2011217577.tif 000007
【図６】
2011217577.tif 000008
【図７】
2011217577.tif 000009
【図８】
2011217577.tif 000010
【図９】
2011217577.tif 000011